(57)【特許請求の範囲】
【請求項１】
ディジタル放送波を受信し復調して映像信号及び音声信号を出力するディジタル放送受信装置において、ユーザー操作に基づいて個別的に有料番組を購入して視聴を可能にする手段と、有料番組の無料視聴期間情報に基づいて無料視聴時間の経過を判断するタイマー手段と、ユーザーによる有料番組購入指示を受けたときに前記無料視聴時間が経過する直前に有料番組購入処理を実行する制御手段と、を備えたことを特徴とするディジタル放送受信装置。
【請求項２】
ディジタル放送波を受信し復調して映像信号及び音声信号を出力するディジタル放送受信装置において、ディジタル放送波の受信状態を表す情報を出力する手段と、ユーザー操作に基づいて個別的に有料番組を購入して視聴を可能にする手段と、有料番組の無料視聴期間情報に基づいて無料視聴時間の経過を判断するタイマー手段と、ユーザーによる有料番組購入指示を受けたときに前記無料視聴時間が経過する直前に前記受信状態が許容範囲であることを条件に有料番組購入処理を実行する制御手段と、を備えたことを特徴とするディジタル放送受信装置。
【請求項３】
請求項１又は請求項２に記載のディジタル放送受信装置において、有料番組購入処理を実行しなかった場合に、そのことを表すメッセージを画面表示するように構成されたことを特徴とするディジタル放送受信装置。
【請求項４】
請求項１乃至請求項３のいずれかに記載のディジタル放送受信装置において、低階層放送の状態でも購入するかをユーザーに問う処理を行い、これに対するユーザーの指令に従った購入／非購入処理を行うように構成されたことを特徴とするディジタル放送受信装置。
【発明の詳細な説明】
【０００１】
【産業上の利用分野】
この発明は、ディジタル放送波を受信し復調して映像信号及び音声信号を出力するディジタル放送受信装置に関する。
【０００２】
【従来の技術】
例えば、衛星を用いたディジタル放送システムにおいては、ディジタル信号圧縮技術を用いて映像・音声信号を圧縮するとともに、複数番組の映像・音声ディジタル信号を時分割多重したストリーム（トランスポートストリーム）をトランスポンダ（衛星中継器）を経由して放送を行っている。一方、このようなディジタル放送を受信する放送受信装置は、専用のアンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
上記ディジタル放送においては、番組ごとに購入が行えるＰＰＶ（ペイ・パー・ビュー）番組が放送されており、ユーザーは自分の見たい番組をリモコン操作によりその場で購入して視聴することができる。また、ＰＰＶ番組の購入を促す目的でその番組がどのような番組であるかを視聴者に知らせるプレビューが通常行われており、このプレビュー期間内においては、ＰＰＶ番組を選局したときに、番組の一部を無料で見ることができる。ユーザーが購入したＰＰＶ番組の情報は一般に毎月の一定の日時に電話回線を通じて課金情報収集センターに送信され、購入量に応じた請求がユーザーに対してなされる。
【０００４】
【発明が解決しようとする課題】
ところで、ＰＰＶ番組の購入契約は、リモコンによる購入操作が行われた時点で成立する。ユーザーは一般にプレビュー期間中にリモコン操作によってＰＰＶ番組を購入しているが、この購入操作を行った後で例えば天候の急変により受信状態が悪くなって視聴できなくなったり、或いは停電によって視聴できなくなったとしても、既にＰＰＶ番組の購入契約は成立しているので、購入代金を支払わなくてはならないことになる。
【０００５】
この発明は、上記の事情に鑑み、天候悪化や停電などによって購入有料番組が見られないのに購入代金を払わされるといった事態の発生を少なくすることができるディジタル放送受信装置を提供することを目的とする。
【０００６】
【課題を解決するための手段】
この発明のディジタル放送受信装置は、上記の課題を解決するために、ディジタル放送波を受信し復調して映像信号及び音声信号を出力するディジタル放送受信装置において、ユーザー操作に基づいて個別的に有料番組を購入して視聴を可能にする手段と、有料番組の無料視聴期間情報に基づいて無料視聴時間の経過を判断するタイマー手段と、ユーザーによる有料番組購入指示を受けたときに前記無料視聴時間が経過する直前に有料番組購入処理を実行する制御手段と、を備えたことを特徴とする。
【０００７】
上記の構成であれば、ユーザーによって有料番組の購入操作が行われた後に停電になったとしても、この停電が無料視聴期間中に生じたのであれば、未だ有料番組購入処理は実行されていないため、購入有料番組が見られないのに購入代金を払わされるといった事態は防止されることになる。
【０００８】
また、この発明のディジタル放送受信装置は、ディジタル放送波を受信し復調して映像信号及び音声信号を出力するディジタル放送受信装置において、ディジタル放送波の受信状態を表す情報を出力する手段と、ユーザー操作に基づいて個別的に有料番組を購入して視聴を可能にする手段と、有料番組の無料視聴期間情報に基づいて無料視聴時間の経過を判断するタイマー手段と、ユーザーによる有料番組購入指示を受けたときに前記無料視聴時間が経過する直前に前記受信状態が許容範囲であることを条件に有料番組購入処理を実行する制御手段とを備えたことを特徴とする。
【０００９】
上記の構成であれば、ユーザーによって有料番組の購入操作が行われた後に天候の急変で放送が見られなくなったとしても、これが無料視聴期間中に生じたのであれば、未だ有料番組購入処理は実行されていないため、購入有料番組が見られないのに購入代金を払わされるといった事態は防止されることになる。
【００１０】
有料番組購入処理を実行しなかった場合に、そのことを表すメッセージを画面表示するのがよい。また、低階層放送の状態でも購入するかをユーザーに問う処理を行い、これに対するユーザーの指令に従った購入／非購入処理を行うように構成されるのがよい。
【００１１】
【発明の実施の形態】
以下、この発明の実施形態を図１乃至図３に基づいて説明するが、ここではユーザがＣＳ（Ｃｏｍｍｕｎｉｃａｔｉｏｎ  Ｓａｔｅｌｌｉｔｅ）ディジタル放送を受信する場合を例示している。
【００１２】
図１はＣＳディジタル放送を受信するこの実施形態のディジタル放送受信装置３０を示したブロック図である。
【００１３】
アンテナ１は、屋外において所定の方向に向けて配置されており、ＣＳから送られてくるディジタル放送信号を受信する。このアンテナ１は、一般に周波数変換器を備え、受信／周波数変換した信号をチューナ２に与える。
【００１４】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。また、このチューナ２は、誤り訂正において得られるエラーレート又はＣ／Ｎ比（これらは受信状態を表す情報である）をＣＰＵ１３に供給するようになっている。
【００１５】
デスクランブル部３は、有料放送において行われるスクランブルをＩＣカード２１Ａに組み込まれている鍵情報によって解除する処理を行う。また、このデスクランブル部３は、デマルチプレクス処理部（ＤＥＭＵＸ）を有しており、デスクランブル処理されたトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクス処理部は、ビデオトランスポートパケットとオーディオトランスポートパケットをＡＶデコーダ４に供給し、ＰＳＩ／ＳＩをＣＰＵ１３に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。更に、ＳＩ（サービス情報）には、番組情報（番組内容、番組開始時刻、番組継続時間、ジャンル情報等）が含まれている。
【００１６】
ＡＶデコーダ４は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１７】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号および左（Ｌ）音のアナログ信号を生成する。
【００１８】
映像出力回路７及び音声出力回路８は出力抵抗や増幅器等を備えて成る。ＡＶ出力端子９には出力部（左右音声出力端子等や映像出力端子等のセット）が設けられており、この出力部には、映像／音声コード１７によって受像管１６ａ及びスピーカ１６ｂを備えるモニタ１６が接続される。
【００１９】
ＯＳＤ（オンスクリーンディスプレイ）回路１２は、ＣＰＵ１３から出力指示された文字情報や色情報に基づく映像データを生成して加算器２０に出力する。加算器２０は前記映像データをＡＶデコーダ４から出力される受信映像データに組み込む処理を行う。
【００２０】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２１】
不揮発性メモリ（例えば、ＥＥＰＲＯＭ等）１４には、番組情報（番組開始時刻、番組継続時間、チャンネル番号等）やユーザーによる設定情報などが格納される。
【００２２】
ＩＣカード２１Ａは、有料放送を視聴可能にするための鍵情報や番組毎に課金対象となるＰＰＶ（ペイ・パー・ビュー）番組の購入履歴情報などを格納する。ＣＡモジュール２１は、ＣＰＵ１３とＩＣカード２１Ａとの間で諸情報の書き込み処理や読み出し処理を行う。この諸情報には、有料ディジタル放送を視聴するのに必要とされる鍵情報、購入コマンド、購入履歴情報の他、未購入の有料番組を一定期間（時間）に限って視聴することを可能にするプレビュー情報（プレビュー期間情報、購入可能期間情報）がある。ＣＰＵ１３は、プレビュー期間情報及び図示しないタイマーからの時間経過情報により、ユーザが選択した有料番組がプレビュー終了まであとどのくらいかを判断することができる。
【００２３】
モデム２２は、定期的に課金情報の伝送を行うとき等のダイヤルアップ接続においてＣＰＵ１３の制御の下で動作する。
【００２４】
ＣＰＵ１３は、リモコン送信機１０などを用いたユーザーによ選局等の処理を行う。そして、この発明に係る処理として、ＰＰＶの購入に係わる処理を行う。この処理内容を図２のフローチャートに基づいて説明していく。まず、メモリ１４から現在選局している番組の番組関連情報を取り出し（ステップＳ１）、ＰＰＶ番組か否かを判断し（ステップＳ２）、ＰＰＶ番組であれば、購入済みか否かを判断し（ステップＳ３）、購入済みでなければプレビュー中のものかどうかを判断する（ステップＳ４）。プレビューが終了している場合は、購入指示があれば直ちに購入動作を行う（ステップＳ１２，ステップＳ１０，ステップＳ１１）。一方、プレビュー中のものであれば、受信映像とともに所定のメッセージ（図３参照）を表示し（ステップＳ５）、購入指示があるかどうかを判断する（ステップＳ６）。この場合、購入指示があっても直ちに購入動作を行うのではなく、プレビュー終了の直前まで当該動作を待つこととする（ステップＳ７）。そして、プレビュー終了の直前になると、受信状態が許容範囲内にあるかどうかを判断する（ステップＳ８）。この判断はチューナ２から出力されるＣ／Ｎやエラーレートに基づいて行う。受信状態が許容範囲内になければ、購入動作は行わずに、例えば、「受信状態が悪いため購入しませんでした」といったメッセージを表示する（ステップＳ９）。一方、受信状態が許容範囲内であれば、購入動作を行う（ステップＳ１０，ステップＳ１１）。
【００２５】
なお、以上の説明では、ＣＳディジタル放送を受信する場合を挙げたが、ＢＳディジタル放送においてＰＰＶ番組を放送することとなる場合にも、この発明を適用することができる。また、ＢＳディジタル放送では、階層変調を用いた降雨対応放送を行うことができるが、かかる場合に鑑み、低階層放送の状態でも購入するかどうかをユーザーに予め決めさせておくのが望ましい。例えば、メニュー画面上に購入決定メニューを用意しておき、購入する／しないをリモコン操作にて予めユーザーに決定させておき、この決定に従って受信装置は購入／非購入の処理を実行することになる。
【００２６】
【発明の効果】
以上説明したように、この発明によれば、ユーザーによって有料番組の購入操作が行われた後に停電になったり、天候の急変で放送が見られなくなったとしても、これが無料視聴期間中に生じたのであれば、未だ有料番組購入処理は実行されていないため、購入有料番組が見られないのに購入代金を払わされるといった事態を防止できるという効果を奏する。
【図面の簡単な説明】
【図１】この発明の実施形態のディジタル放送受信装置を示すブロック図である。
【図２】この発明の処理内容の一例を示したフローチャートである。
【図３】プレビュー画面を示した説明図である。
【符号の説明】
１    アンテナ
２    チューナ
３    デスクランブラ
４    ＡＶデコーダ
１０  リモコン送信機
１３  ＣＰＵ
１４  不揮発性メモリ
２１  ＣＡモジュール
２１Ａ  ＩＣカード
【図１】
0003837302.tif 000002
【図２】
0003837302.tif 000003
【図３】
0003837302.tif 000004